(57)【要約】      （修正有）【課題】商品の固定用台紙の製造コストを低減することのできる商品の固定用シート及びこの固定用シートを取り付けた商品の固定用台紙を提供する。【解決手段】商品の固定用シート１は、湾曲可能な材質で形成され、両側部間に、商品である缶バッジ２０に設けられた細長の取付部材を差し込み可能な差し込み切り込み２が形成され、差し込み切り込み２は、中央が上方に向けて突出した山形形状に切り込まれた切り込み２ａ，２ｂを備えている。商品の固定用台紙１０は、商品の固定用シート１が中央部分を正面側に突出させるようにして湾曲されて貼り付けられる。【選択図】図１
0003219651.tif 000002
【実用新案登録請求の範囲】
【請求項１】
商品の固定用シートであって、湾曲可能な材質で形成され、両側部間に、商品に設けられた細長の取付部材を差し込み可能な差し込み切り込みが形成されている商品の固定用シート。
【請求項２】
前記固定用シートの裏面側の両側部表面に、商品の固定用台紙に貼り付け固定可能とする糊付け層が設けられた請求項１に記載の商品の固定用シート。
【請求項３】
前記差し込み切り込みは、中央が上方に向けて突出した山形形状に切り込まれた切り込み部を備えている請求項１又は請求項２に記載の商品の固定用シート。
【請求項４】
前記差し込み切り込みは、正面視においてＷ字形状に切り込まれた切り込み部を備えている請求項１又は請求項２に記載の商品の固定用シート。
【請求項５】
前記差し込み切り込みは、中央が上方に向けて突出した半円弧形状に切り込まれて形成されている請求項１又は請求項２に記載の商品の固定用シート。
【請求項６】
請求項１から請求項５のいずれかの前記商品の固定用シートが中央部分を正面側に突出させるようにして湾曲されて貼り付けられた商品の固定用台紙。
【請求項７】
湾曲可能な材質で形成され、両側部間に、商品に設けられた細長の取付部材を差し込み可能であるとともに中央が上方に向けて突出した山形形状に切り込まれて形成されている差し込み切り込みが形成されている商品の固定用シートが貼り付けられ、前記商品の固定用シートは中央部分を前方に突出させるようにして湾曲されて貼り付けられた商品の固定用台紙。
【考案の詳細な説明】
【技術分野】
【０００１】
本考案は、缶バッジのピン部分、キーホルダーのチェーン・ワイヤー・ストラップ部分等、商品に備えられている細長形状の取付部材を取り付けることにより商品を固定することが可能な商品の固定用シート及びこの固定用シートを取り付けた商品の固定用台紙に関する。
【背景技術】
【０００２】
従来から缶バッジ、キーホルダー等の商品を固定して、展示、販売等の用に供するための商品の固定用台紙が用いられている。特に、複数の商品を展示、販売等（以下単に「販売等」）する場合には、このような商品固定用台紙に固定して販売等することが見栄えも良く、商品同士の接触による傷の防止等にも効果的である。
【０００３】
このような商品の固定用台紙は、例えば予め用意した型を用いて、複数の差し入れ切り込みを形成し、缶バッジなどの安全ピン部分や、キーホルダーのチェーン・ワイヤーや、ストラップ等の商品の取付部材を差し込んで、商品そのものを固定できるように構成されている。このような固定用台紙は、商品が簡単には落下せず、一方で、商品の固定・取り外しも容易であるという利点がある（例えば特許文献１）。
【先行技術文献】
【特許文献】
【０００４】
【特許文献１】特開２００３−３３７５３６号公報（図３、図５等）
【考案の概要】
【考案が解決しようとする課題】
【０００５】
しかしながら、この従来の商品の固定用台紙では、固定する商品の数、固定する商品の種類によって、異なる位置に差し入れ切込みを形成したものを用意する必要がある。近年、缶バッジ等については、注文者の要望に応じた特定のネームや図柄をプリントして一定以上の数で製造・販売する事業も増えている。特にこのような場合には、一つの固定用台紙に固定すべき商品の数は、注文者の要望により変更する必要が生ずるため、差し入れ切り込みの数または位置を異ならせた非常に多くの切り込み用の型を用意する必要がある。このため、従来の商品の固定用台紙では、その製造コストが嵩んでしまうという問題が生じていた。
【０００６】
本考案が解決しようとする目的は、前述した従来技術の問題点を解決するものであり、商品の固定用台紙の製造コストを低減することのできる商品の固定用シール及びこの固定用シートを取り付けた商品の固定用台紙を提供することにある。
【課題を解決するための手段】
【０００７】
上記課題を解決するものは以下のものである。
（１）本考案の第一の手段の商品の固定用シートは、
湾曲可能な材質で形成され、両側部間に、商品に設けられた細長の取付部材を差し込み可能な差し込み切り込みが形成されている商品の固定用シートである。
（２）本考案の第二の手段の商品の固定用シートは、前記固定用シートの裏面側の両側部表面に、商品の固定用台紙に貼り付け固定可能とする糊付け層が設けられた（１）に記載の商品の固定用シートである。
【０００８】
（３）本考案の第三の手段の商品の固定用シートは、前記差し込み切り込みは、中央が上方に向けて突出した山形形状に切り込まれた切り込み部を備えている（１）又は（２）に記載の商品の固定用シートである。
（４）本考案の第四の手段の商品の固定用シートは、前記差し込み切り込みは、正面視においてＭ字形状に切り込まれた切り込み部を備えている（１）又は（２）に記載の商品の固定用シートである。
（５）本考案の第五の手段の商品の固定用シートは、前記差し込み切り込みは、中央が上方に向けて突出した半円弧形状に切り込まれて形成されている（１）又は（２）に記載の商品の固定用シートである。
【０００９】
（６）本考案の第六の手段の商品の固定用台紙は、（１）から（５）のいずれかの前記商品の固定用シートが中央部分を正面側に突出させるようにして湾曲されて貼り付けられた商品の固定用台紙である。
（７）本考案の第七の手段の商品の固定用台紙は、湾曲可能な材質で形成され、両側部間に、商品に設けられた細長の取付部材を差し込み可能であるとともに中央が上方に向けて突出した山形形状に切り込まれて形成されている差し込み切り込みが形成されている商品の固定用シートが貼り付けられ、前記商品の固定用シートは中央部分を前方に突出させるようにして湾曲されて貼り付けられた商品の固定用台紙である。
【図面の簡単な説明】
【００１０】
【図１】図１は、商品が固定された状態の本考案の商品の固定用シートの斜視図である。
【図２】図２は、図１の商品の固定用シートの展開した状態の正面図である。
【図３】図３は、図１の商品及び商品の固定用シートの側面視縦断面図である。
【図４】図４は、図１の商品の固定用シートが貼り付けられた商品の固定用台紙の正面図である。
【図５】図５は、本考案の別の商品固定用シートの展開した状態の正面図である。
【図６】図６は、本考案のさらに別の商品固定用シートの展開した状態の正面図である。
【考案を実施するための形態】
【００１１】
本考案の商品の固定用シート及び商品の固定用台紙について、図面を参照して詳細に説明する。本考案の商品の固定用シート１は、図２に示されるように、中央に、上方に向かって突出するような山形形状に切り込まれて形成されている差し込み切り込み２が設けられている。具体的には、中央に向けて上方に傾斜した直線状の切り込み２ａ，２ｂが両側から形成され、これらが連設されて差し込み切り込み２が形成されている。本例では、切り込み２ａ，２ｂの成す角度は、約９０°に形成されている。なお、この切り込み２ａ,２ｂの成す角度は適宜変更しても良い。またさらに、この差し込み切り込み２の左右両側には、切り込み２ａ，２ｂの途中から円弧を描きながら上方外側に切り込まれた糊付け用切り込み３ａ，３ｂがそれぞれ形成されている。糊付け用切り込み３ａ，３ｂは、それぞれ切り込み２ａ，２ｂの下部側の一部と共に横に倒した「Ｕ」字形状の舌片部７を形成している。なお、糊付け用切り込み３ａ，３ｂの端部は、切り込み２ａ，２ｂの端部よりも、より外側にまで切り込まれている。
【００１２】
固定用シート１の両側部及び前述した舌片部７のそれぞれの裏面側には予め糊付け層が設けられている。糊付け層は固定用シート１の本体に粘着剤が塗布されて形成されている。この糊付け層が固定用台紙１０の本体に貼着されて、固定用シート１が固定用台紙１０に貼り付けられる。
【００１３】
図１に示されるように、固定用シート１は、その左右方向における中央部分を前方に突出させるようにして湾曲された状態で固定用台紙１０の本体に貼着される。固定用シート１を貼り付ける際には、前述した糊付け層が設けられた両側の間の中央部分を撓ませるようにして、固定用シート１の中央部分を正面側に突出させて湾曲させる。このようにして貼り付けをすることにより、差し込み切り込み２の中央付近が正面側に突出することとなる。そして、図１に示されるように、正面側に突出されて湾曲された差し込み切り込み２に、例えば缶バッジ２０の取付部材である安全ピン２２を差し込んで、展示・販売の商品である缶バッジ２０を固定用台紙１０に固定することが可能である。本例の固定用シート１はＰＥＴ製であり、その厚みは約０．１ｍｍとされている。
【００１４】
差し込み切り込み２は、中央が上方に向けて突出した形状に形成されているので、安全ピン２２を差し込んだ際に、安全ピン２２がその自重などにより下方に移動しても差し込み切り込み２から脱落する可能性は少ない。一方で、缶バッジ２０を固定用台紙１０に固定する際には、安全ピン２２の部分を差し込み切り込み２の奥側に押し込むだけで容易に固定することが可能である。
【００１５】
図２等に示され、前述したように、糊付け用切り込み３ａ，３ｂの端部は、切り込み２ａ，２ｂの端部よりも、より外側にまで切り込まれているので、湾曲して貼り付けられた状態の固定用シート１の差し込み切り込み２の上方の上部片５は、差し込み切り込み２の下方の下部片６よりも、より大きな円弧を描いて湾曲される。よって、上部片５の中央部分５ａは、下部片６の中央の先端部６ａよりも正面側寄りにまで突出する。そして、図３に示されるように中央部分５ａと先端部６ａとが僅かに重なり合う。よって、安全ピン２２はより一層差し込み切り込み２から脱落し難くされる。そして、必要数の固定用シート１を固定用台紙１０に貼着するだけで、所望の数の商品を固定用台紙１０に固定することが可能となる。
【００１６】
このように構成された固定用シート１及びこの固定用シート１が貼着された固定用台紙１０は、従来の固定用台紙のように型によって差し込み用の切り込みを形成する必要が無いので、固定する商品の数に応じた多種類の型を用意する必要が無い。よって、商品の固定用台紙の製造コストを低減することができる。また、従来の固定用台紙では、商品の数の変更は無くても、商品の形状や大きさが変わることにより、切り込みの位置を変更する必要が生ずる場合もある。例えば、缶バッジの大きさが大きくなれば、固定した際に互いに干渉しないように、間隔が広くなるように切り込みの位置を変更する必要が生ずることもある。このような場合にも、多種類の型を用意する必要なく、所望の固定用台紙を提供することができる。
【００１７】
次いで、別の固定用シート１０１について説明する。この固定用シート１０１は差し込み切り込み１０２が、中央が上方に向けて突出した半円弧形状に切り込まれて形成されている。この固定用シート１０１についても、上記した固定用シート１と同様に固定用台紙１０に貼り付けられて缶バッジ２０等の商品を固定することができる。
【００１８】
次いで、また別の固定用シート２０１について説明する。この固定用シート２０１は差し込み切り込み２０２が、中央が上方に向けて突出した山形状に形成されたものが２つ横方向に連設され、Ｍ字形状に切り込まれている。この固定用シート２０２についても、上記した固定用シート１と同様に固定用台紙１０に貼り付けられて缶バッジ２０等の商品を固定することができる。
【００１９】
本考案の固定用シート及び固定用台紙は、上記した例に限定されるものではなく、本考案の主旨の範囲内で適宜変更可能であり、例えば、缶バッジ２０に限らず、チェーンやワイヤー等の「取付部材」を備えたキーホルダー等を固定するものでも良い。また,ストラップ等の「取付部材」を備えて固定するものでも良い。また、固定用シートの厚みは、固定する商品の重さ等に応じて適宜変更することが可能である。
【図１】
0003219651.tif 000003
【図２】
0003219651.tif 000004
【図３】
0003219651.tif 000005
【図４】
0003219651.tif 000006
【図５】
0003219651.tif 000007
【図６】
0003219651.tif 000008
【手続補正書】
【提出日】平成30年11月6日(2018.11.6)
【手続補正１】
【補正対象書類名】実用新案登録請求の範囲
【補正対象項目名】全文
【補正方法】変更
【補正の内容】
【実用新案登録請求の範囲】
【請求項１】
商品の固定用シートであって、湾曲可能な材質で形成され、両側部間に、商品に設けられた細長の取付部材を差し込み可能な差し込み切り込みが形成され、前記差し込み切り込みは、中央が上方に向けて突出した山形形状に切り込まれた切り込み部を備えている商品の固定用シート。
【請求項２】
商品の固定用シートであって、湾曲可能な材質で形成され、両側部間に、商品に設けられた細長の取付部材を差し込み可能な差し込み切り込みが形成され、前記差し込み切り込みは、正面視においてＭ字形状に切り込まれた切り込み部を備えている商品の固定用シート。
【請求項３】
商品の固定用シートであって、湾曲可能な材質で形成され、両側部間に、商品に設けられた細長の取付部材を差し込み可能な差し込み切り込みが形成され、前記差し込み切り込みは、中央が上方に向けて突出した半円弧形状に切り込まれて形成されている商品の固定用シート。
【請求項４】
前記固定用シートの裏面側の両側部表面に、商品の固定用台紙に貼り付け固定可能とする糊付け層が設けられた請求項１から請求項３のいずれかに記載の商品の固定用シート。
【請求項５】
請求項１から請求項４のいずれかの前記商品の固定用シートが中央部分を正面側に突出させるようにして湾曲されて貼り付けられた商品の固定用台紙。
【請求項６】
湾曲可能な材質で形成され、両側部間に、商品に設けられた細長の取付部材を差し込み可能であるとともに中央が上方に向けて突出した山形形状に切り込まれて形成されている差し込み切り込みが形成されている商品の固定用シートが貼り付けられ、前記商品の固定用シートは中央部分を前方に突出させるようにして湾曲されて貼り付けられた商品の固定用台紙。
【手続補正２】
【補正対象書類名】明細書
【補正対象項目名】０００７
【補正方法】変更
【補正の内容】
【０００７】
上記課題を解決するものは以下のものである。
（１）本考案の第一の手段の商品の固定用シートは、
商品の固定用シートであって、湾曲可能な材質で形成され、両側部間に、商品に設けられた細長の取付部材を差し込み可能な差し込み切り込みが形成され、前記差し込み切り込みは、中央が上方に向けて突出した山形形状に切り込まれた切り込み部を備えている商品の固定用シートである。
（２）本考案の第二の手段の商品の固定用シートは、商品の固定用シートであって、湾曲可能な材質で形成され、両側部間に、商品に設けられた細長の取付部材を差し込み可能な差し込み切り込みが形成され、前記差し込み切り込みは、正面視においてＭ字形状に切り込まれた切り込み部を備えている商品の固定用シートである。
【手続補正３】
【補正対象書類名】明細書
【補正対象項目名】０００８
【補正方法】変更
【補正の内容】
【０００８】
（３）本考案の第三の手段の商品の固定用シートは、商品の固定用シートであって、湾曲可能な材質で形成され、両側部間に、商品に設けられた細長の取付部材を差し込み可能な差し込み切り込みが形成され、前記差し込み切り込みは、中央が上方に向けて突出した半円弧形状に切り込まれて形成されている商品の固定用シートである。
【手続補正４】
【補正対象書類名】明細書
【補正対象項目名】０００９
【補正方法】変更
【補正の内容】
【０００９】
（４）本考案の第四の手段の商品の固定用シートは、前記固定用シートの裏面側の両側部表面に、商品の固定用台紙に貼り付け固定可能とする糊付け層が設けられた（１）から（３）のいずれかに記載の商品の固定用シートである。
（５）本考案の第五の手段の商品の固定用台紙は、（１）から（４）のいずれかの前記商品の固定用シートが中央部分を正面側に突出させるようにして湾曲されて貼り付けられた商品の固定用台紙である。
（６）本考案の第六の手段の商品の固定用台紙は、湾曲可能な材質で形成され、両側部間に、商品に設けられた細長の取付部材を差し込み可能であるとともに中央が上方に向けて突出した山形形状に切り込まれて形成されている差し込み切り込みが形成されている商品の固定用シートが貼り付けられ、前記商品の固定用シートは中央部分を前方に突出させるようにして湾曲されて貼り付けられた商品の固定用台紙である。